(57)【要約】【課題】軸に右回り又は左回りのトルクを与え、そのトルクを解除したときには軸が反転して停止し、軸に固定した回転体の特定箇所の停止位置、即ち中立点が停止時には常時同じ位置に復帰させること。【解決手段】軸１に回転体２を固定し、回転体の後方には前体３、ネジリコイルバネ４、後体５、不動体６を順番に軸に通し、不動体には基準ピン８を、回転体には回り止めピン９を対向して突出し、前体と後体には回転方向と回転角度を相互に制限し合うストッパー１６，１７をそれぞれ設け、両ストッパーによって前体と後体の一方を右回り可能に、他方を左回り可能に設け、前体と後体の間にネジリコイルバネを復元力を保有する状態で収容し、復元力で両ストッパー間に基準ピンと回り止めピンを挟持して回転体が静止した中立状態を形成し、挟持する箇所とは反対側の両ストッパー間には回転領域を形成する。【選択図】　　　図１
2004047784.tif 000002
【特許請求の範囲】
【請求項１】
軸（１）に回転体（２）を固定し、回転体（２）の後方には前体（３）、ネジリコイルバネ（４）、後体（５）、不動体（６）を順番に軸（１）に通し、不動体（６）には基準ピン（８）を回転体（２）に向かって突出し、回転体（２）には回り止めピン（９）を不動体（６）に向かって突出し、前体（３）と後体（５）には回転方向と回転角度を相互に制限し合うストッパー（１６，１７）をそれぞれ設け、両ストッパー（１６，１７）によって前体（３）と後体（５）の一方を軸（１）を中心として右回り可能に、他方を左回り可能にそれぞれ設け、前体（３）と後体（５）の間にネジリコイルバネ（４）を復元力を保有する状態で収容し、その復元力によって両ストッパー（１６，１７）間に基準ピン（８）と回り止めピン（９）を挟持して回転体（２）が静止した中立状態を形成し、挟持する箇所とは反対側の両ストッパー（１６，１７）間には、前体（３）と後体（５）の回転領域（１８）を形成することを特徴とする中立点復帰装置。
【発明の詳細な説明】
【０００１】
【発明の属する技術分野】
本発明は、軸に右回り又は左回りのトルクを与え、そのトルクを解除したときには軸が反転して停止し、軸に固定した回転体の特定箇所の停止位置、即ち中立点が停止時には常時同じ位置に復帰する中立点復帰装置に関するもので、例えば、ポテンションメータのブラシを回転させる機構に使用する。
【０００２】
【従来の技術】
従来の中立点復帰装置としては図９に示すように、ボディ９１に回転軸９２を支持し、回転軸９２に固定した回転体９３の前後に二つのネジリコイルバネ９４を設け、各ネジリコイルバネ９４の一端をボディ９１に引っ掛け、他端を回転体９３の抜穴９５に収容し、両方のネジリコイルバネ９４の力が釣り合った状態で回転体９３を停止させるものがある。この停止した状態を中立状態という。
【０００３】
ところが、回転体には二本のネジリコイルバネの力が二方向から加わっているので、中立状態は不安定となり、それゆえ中立点には多少の誤差があった。また、本装置の周囲で振動が生ずると、それまで停止していた回転体が僅かに回って再度停止することがあったり、回転体を同一角度右回りさせた場合と左回りさせた場合とでは、その後の反転角度が微妙に異なることがあり、中立点が不安定であった。
【０００４】
【発明が解決しようとする課題】
本発明は上記実情を考慮して開発されたもので、その目的は、中立点が安定する中立点復帰装置を提供することである。
【０００５】
【課題を解決するための手段】
本発明の中立点復帰装置は、軸に回転体を固定し、回転体の後方には前体、ネジリコイルバネ、後体、不動体を順番に軸に通し、不動体には基準ピンを回転体に向かって突出し、回転体には回り止めピンを不動体に向かって突出し、前体と後体には回転方向と回転角度を相互に制限し合うストッパーをそれぞれ設け、両ストッパーによって前体と後体の一方を軸を中心にして右回り可能に、他方を左回り可能にそれぞれ設け、前体と後体の間にネジリコイルバネを復元力を保有する状態で収容し、その復元力によって両ストッパー間に基準ピンと回り止めピンを挟持して回転体が静止した中立状態を形成し、挟持する箇所とは反対側の両ストッパー間には、前体と後体の回転領域を形成することを特徴とする。
【０００６】
ピンとは、一般的には棒のことを意味するが、ここでは凸状のものを意味し、従ってブロック状のものをも含む概念である。
【０００７】
両ストッパー間に基準ピンと回り止めピンを挟持しているので、軸を回すと、不動体に対して回転体がその回す方向に対応して回転し、回転体の回り止めピンがストッパーを押しながら前体又は後体の一方を回す。但し、その際には不動体の基準ピンがストッパーを抑えるので、前体又は後体の他方が不動体で静止状態に保持される。また、軸を回すと復元力が増大し、軸を回したトルクを解放すれば、一方が反転して、両ストッパーで基準ピンと回り止めピンを挟持した状態に復帰する。従って、回転体が静止した中立状態は常に一定となる。
【０００８】
【発明の実施の形態】
本発明の中立点復帰装置は図１に示すように、軸１と、軸１の一端部に固定した回転体２と、回転体２の後方に向かって軸１に通した前体３、ネジリコイルバネ４、後体５、及び不動体６とを備え、軸１に通したボディＢに不動体６を固定する。
【０００９】
不動体６は図１又は図５に示すように板状であって、ボディＢに固定することによって回転不能となり、ベアリング７の抜穴を通して軸１を回転可能に支持するもので、前体３と後体５に係わり合う基準ピン８を回転体２への対向面に突出してある。
【００１０】
回転体２は図１又は図７に示すように板状で、軸１の一端部に固定され、前体３と後体５に係わり合う回り止めピン９を、不動体６への対向面に突出し、反対側の面にポテンションメータのブラシ１０を固定してある。符号Ｔ１は、前体３との回転摩擦を小さくするための小径の凸部である。
【００１１】
一般的なポテンションメータは、図８に示すように、上述した回転体２の他に、回転体２に対向して支持する基板１１を有し、基板１１上に抵抗帯１２と電極帯１３を同心円状に設け、ブラシ１０で抵抗帯１２と電極帯１３との導通を図り、抵抗帯１２の中央部を境にしてブラシ１０を両帯に沿って相対的に左右に揺動可能に設けたものである。なお、抵抗帯１２と電極帯１３は便宜上、ハッチングで表してあり、ハッチングパターンの異なる抵抗帯１２の中央部分は抵抗被膜１４で、それ以外の部分は電極被膜１５である。
【００１２】
前体３と後体５は図１から図３に示すように、回転方向と回転角度を相互に制限し合うストッパー１６，１７をそれぞれ備え、両ストッパー１６，１７によって前体３と後体５の一方を軸１を中心にして右回り可能に、他方を左回り可能にそれぞれ設けてある。また、前体３と後体５はその間にネジリコイルバネ４を復元力を保有する状態で収容し、回転体２が静止した中立状態では、復元力によって両ストッパー１６，１７間に基準ピン８と回り止めピン９を挟持し、挟持する箇所とは反対側の両ストッパー１６，１７間には、前体３と後体５の回転領域１８を形成する。
【００１３】
前体３は図４に示すように、円盤１９の中央部に、軸１を通す抜穴２０を有し、円盤１９の外側に断面円弧帯状のストッパー１６を後体５に向かって突出し、円盤１９の片面に収容溝２１を、抜穴２０に対して同心円状に形成する。収容溝２１は、図６に示すネジリコイルバネ４の形状に対応させてあり、ネジリコイルバネ４の螺旋部分２２の片側半分を収容する溝本体２３と、ネジリコイルバネ４の引掛け端部２４を収容する係止部２５とからなり、係止部２５の先端部は、引掛け端部２４を前後方向にスライド式に挿入するために、ストッパー１６の内面に連続して設けてある。符号Ｔ２は、回転摩擦を小さくするための凸部である。なお、後体５は前体３と対称形状であるので説明を省略する。
【００１４】
上述した中立点復帰装置は図２（イ）及び図３（イ）に示すように、回転体２が静止した中立状態では、ネジリコイルバネ４の復元力によってストッパー１６，１７間に基準ピン８と回り止めピン９が挟持されるので、中立点が一定位置に保持される。また、軸１に左回りのトルクを与えて回転体２を回すと、図２（ロ）及び図３（ロ）に示すように、回り止めピン９によってストッパー１７を押し込んで後体５が回転領域１８に沿って回転し、一方、基準ピン８でストッパー１６を抑えて前体３を静止状態に保持し、ストッパー同士が衝突して回転体２がそれ以上回らないようにする。そして、軸１に与えていたトルクを解放すると、図２（イ）及び図３（イ）に示すように、復元力によって後体５が反転し、ストッパー１６，１７間に回り止めピン９と基準ピン８を挟持して停止する。なお、軸１に右回りのトルクを与えて回転体２を回した場合は、図３（ハ）に示すように、回り止めピン９で前体３を回転領域１８に沿って回し、一方、基準ピン８で後体５を静止状態に保持し、ストッパー１６，１７同士が衝突して回転体２がそれ以上回らないようにする。
【００１５】
【発明の効果】
本発明は、回転体と一体化した軸を不動体に対して回した後にトルクを解放すれば、前体と後体に収容したネジリコイルバネの復元力によって回転体が反転し、その反転を両ストッパーが不動体の基準ピンと回転体の回り止めピンを挟持して回転体を停止させるので、回転体が静止した中立状態が安定することになり、その結果、中立点は常に一定の位置となる。
【００１６】
また、前体と後体が両ストッパーで基準ピンと回り止めピンを挟持しているので、軸を回せば回転方向に関係なくネジリコイルバネの復元力を増大することになり、同じ角度だけ左回りさせた場合と右回りさせた場合とでは、同じ反転トルクが発生することなる。
【図面の簡単な説明】
【図１】本発明の中立点復帰装置を示す分解斜視図である。
【図２】（イ）（ロ）（イ）図は回転板が静止した中立状態、（ロ）図は軸を左回転した状態を示す各正面図である。
【図３】（イ）（ロ）（ハ）（イ）図は中立状態、（ロ）図は軸を左回転した状態、（ハ）図は軸を右回転した状態を示す説明図である。
【図４】（イ）（ロ）（ハ）（ニ）（ホ）（イ）図は前体の正面図、（ロ）図は右側面図、（ハ）図は背面図、（ニ）図は平面図、（ホ）図はＡ−Ａ線断面図である。
【図５】不動体の正面図である。
【図６】（イ）（ロ）（イ）図はネジリコイルバネの右側面図、（ロ）図は正面図である。
【図７】（イ）（ロ）（イ）図は回転体と軸を示す正面図、（ロ）図は左側面図である。
【図８】ポテンションメータの抵抗帯等とブラシとの関係を示す簡易正面図である。
【図９】従来の中立点復帰装置の一例を示す正面図である。
【符号の説明】
１　軸
２　回転体
３　前体
４　ネジリコイルバネ
５　後体
６　不動体
８　基準ピン
９　回り止めピン
１６，１７　ストッパー
１８　回転領域
【図１】
2004047784.tif 000003
【図２】
2004047784.tif 000004
【図３】
2004047784.tif 000005
【図４】
2004047784.tif 000006
【図５】
2004047784.tif 000007
【図６】
2004047784.tif 000008
【図７】
2004047784.tif 000009
【図８】
2004047784.tif 000010
【図９】
2004047784.tif 000011